(57)【要約】【課題】  資料データのセキュリティが十分に確保された、ネットワークに接続可能な画像読取装置の技術を提供する。【解決手段】  文書を光学的に読み取って画像データを取得し、当該画像データを表示手段に出力する画像読取装置は、ユーザの識別情報を受け取って、該ユーザが正当であるか否かを判定する判定手段と、前記ユーザが正当であると前記判定手段が判定したことを条件として、前記ユーザからの指示に応じて、前記画像データを外部装置に送信する送信手段と、を備える。【選択図】  図２
2010041619.tif 000002
【特許請求の範囲】
【請求項１】
文書を光学的に読み取って画像データを取得し、当該画像データを表示手段に出力する画像読取装置であって、
ユーザの識別情報を受け取って、該ユーザが正当であるか否かを判定する判定手段と、
前記ユーザが正当であると前記判定手段が判定したことを条件として、前記ユーザからの指示に応じて、前記画像データを外部装置に送信する送信手段と、
を備えることを特徴とする画像読取装置。
【請求項２】
前記送信手段は、前記ユーザが正当であると前記判定手段が判定してから予め定められた時間が経過するまでに前記ユーザから指示がなされた場合に、前記画像データを外部装置に送信する
ことを特徴とする請求項１に記載の画像読取装置。
【請求項３】
外部装置から画像データを受信する受信手段と、
前記ユーザが正当であると前記判定手段が判定したことを条件として、前記ユーザからの指示に応じて、前記受信手段が受信した画像データを前記表示手段に出力する制御手段と、
をさらに備えることを特徴とする請求項１または２に記載の画像読取装置。
【請求項４】
前記制御手段は、前記ユーザが正当であると前記判定手段が判定してから予め定められた時間が経過するまでに前記ユーザから指示がなされた場合に、前記受信手段が受信した画像データを前記表示手段に出力する
ことを特徴とする請求項３に記載の画像読取装置。
【請求項５】
前記ユーザの識別情報には、該ユーザの生体情報が含まれる
ことを特徴とする請求項１から４のいずれか１項に記載の画像読取装置。
【請求項６】
文書を光学的に読み取って画像データを取得し、当該画像データを表示手段に出力する画像読取装置の制御方法であって、
ユーザの識別情報を受け取って、該ユーザが正当であるか否かを判定する判定工程と、
前記判定工程において前記ユーザが正当であると判定されたことを条件として、前記ユーザからの指示に応じて、前記画像データを外部装置に送信する送信工程と、
を有することを特徴とする画像読取装置の制御方法。
【請求項７】
前記送信工程においては、前記判定工程において前記ユーザが正当であると判定されてから予め定められた時間が経過するまでに前記ユーザから指示がなされた場合に、前記画像データが外部装置に送信される
ことを特徴とする請求項６に記載の画像読取装置の制御方法。
【請求項８】
外部装置から画像データを受信する受信工程と、
前記判定工程において前記ユーザが正当であると判定されたことを条件として、前記ユーザからの指示に応じて、前記受信工程において受信された画像データを前記表示手段に出力する制御工程と、
をさらに有することを特徴とする請求項６または７に記載の画像読取装置の制御方法。
【請求項９】
前記制御工程においては、前記判定工程において前記ユーザが正当であると判定されてから予め定められた時間が経過するまでに前記ユーザから指示がなされた場合に、前記受信工程において受信された画像データが前記表示手段に出力される
ことを特徴とする請求項８に記載の画像読取装置の制御方法。
【請求項１０】
前記ユーザの識別情報には、該ユーザの生体情報が含まれる
ことを特徴とする請求項６から９のいずれか１項に記載の画像読取装置の制御方法。
【請求項１１】
コンピュータを請求項１から５のいずれか１項に記載の画像読取装置として機能させるためのプログラム。
【請求項１２】
請求項１１に記載のプログラムを格納したコンピュータ読み取り可能な記録媒体。
【発明の詳細な説明】
【技術分野】
【０００１】
本発明は画像読取装置およびその制御方法、プログラム、記憶媒体に関する。
【背景技術】
【０００２】
以前は、プレゼンテーションの際に、スライドやオーバヘッドプロジェクタ（ＯＨＰ）などがよく用いられてきた。
【０００３】
これに対して、近年では、パーソナルコンピュータをはじめとする情報処理装置の普及により、情報処理装置に格納されている資料などの画像を大型ディスプレイやプロジェクタ等の表示装置に表示してプレゼンテーションを行うことが多くなっている。
【０００４】
また、必要に応じて補助資料としての印刷物や手書きの資料を使用する場合などに、プレゼンテーションが行われている場所で、資料を光学的に読み取り、表示装置に表示する画像読取装置が用いられることも多い。このような画像読取装置の中には、当該画像読取装置が光学的に読み取った情報以外の情報を表示装置（プロジェクタ、ディスプレイ等）に表示するために、他の装置から情報を受け取って使用可能なものが知られている。ただし、他の装置から情報を受け取る場合は、表示装置との接続に用いられるケーブルを付け替えたり切替え装置を用意したりして、他の装置と接続を切り替える必要があり、作業に手間が掛かる。
【０００５】
そこで、ローカルエリアネットワーク（ＬＡＮ）等のネットワーク（インターネット等）へ接続するための通信路を設けることで、他の装置との切替えの手間を省いた画像読取装置が知られている（特許文献１）。
【特許文献１】特開２００３−３３３２５２公報
【発明の開示】
【発明が解決しようとする課題】
【０００６】
上述の特許文献１に記載の画像読取装置は、一般に、不特定多数のユーザによる使用が想定されるが、画像読取装置がネットワークを経由して遠方の装置と資料データを送受信できる場合、資料データのセキュリティを確保することが困難になる。
【０００７】
例えば、ＬＡＮ等の通信路を介して遠方にある他装置に接続可能な画像読取装置は、悪意を持つ者などの操作によって、意図した表示装置にだけ表示したい資料のデータを遠方の他装置に送信することができてしまう。また、表示装置に資料を表示させるために、ユーザが遠方の他装置から画像読取装置に資料データを送信した場合、ユーザが画像読取装置に到着する前に、他人がこの資料を閲覧したり、資料データを不正に取り出したりすることができてしまう。
【０００８】
このように、従来の構成では、資料の秘匿性やアクセス制御など、資料データのセキュリティを十分に確保することができなかった。
【０００９】
本発明は上記課題に鑑みなされたものであり、資料データのセキュリティが十分に確保された、ネットワークに接続可能な画像読取装置の技術を提供することを目的とする。
【課題を解決するための手段】
【００１０】
上記目的を達成するため、本発明による画像読取装置は以下の構成を備える。すなわち、
文書を光学的に読み取って画像データを取得し、当該画像データを表示手段に出力する画像読取装置であって、
ユーザの識別情報を受け取って、該ユーザが正当であるか否かを判定する判定手段と、
前記ユーザが正当であると前記判定手段が判定したことを条件として、前記ユーザからの指示に応じて、前記画像データを外部装置に送信する送信手段と、
を備える。
【００１１】
また、本発明による画像読取装置の制御方法は以下の構成を有する。すなわち、
文書を光学的に読み取って画像データを取得し、当該画像データを表示手段に出力する画像読取装置の制御方法であって、
ユーザの識別情報を受け取って、該ユーザが正当であるか否かを判定する判定工程と、
前記判定工程において前記ユーザが正当であると判定されたことを条件として、前記ユーザからの指示に応じて、前記画像データを外部装置に送信する送信工程と、
を有する。
【発明の効果】
【００１２】
本発明によれば、資料データのセキュリティが十分に確保された、ネットワークに接続可能な画像読取装置の技術を提供することができる。
【発明を実施するための最良の形態】
【００１３】
以下、添付図面を参照して本発明に係る実施の形態を詳細に説明する。ただし、この実施の形態に記載されている構成要素はあくまでも例示であり、本発明の範囲をそれらのみに限定する趣旨のものではない。また、本実施の形態で説明されている特徴の組み合わせの全てが発明の解決手段に必須のものとは限らない。
【００１４】
＜＜第１の実施形態＞＞
（画像読取装置の構成）
図１は本発明の第１の実施形態における画像読取装置のハードウエア構成を示すブロック図である。図１のように、本実施形態の画像読取装置４０１は画像取得部４０２と情報処理部４０３とを備えている。また、画像読取装置４０１は、外部メディア４３７、ＬＡＮ４３６、外部表示装置４４０を含む外部装置に接続されている。以下、画像読取装置４０１の各構成要素と各外部装置について説明する。なお、後述する個人認証部４０５は各情報処理を行う情報処理部４０３に属している。
【００１５】
[画像取得部４０２]
まず、画像取得部４０２について説明する。
【００１６】
４０６は画像取得主制御部である。画像取得主制御部４０６は、画像読取センサ光源４０８、画像読取センサ４０９、Ａ／Ｄ変換器４１０を制御して画像データを取得し、ＳＤ−ＲＡＭ４１１へ画像データを一時格納する。
【００１７】
ここで、画像取得主制御部４０６は、画像制御部４１６と外部ＩＦ制御部４１７とを備えている。この画像制御部４１６は、ＳＤ−ＲＡＭ４１１へに格納された画像データを外部ＩＦ制御部４１７へ転送し、また、外部ＩＦ制御部４１７は、情報処理部４０３の情報処理主制御部４１８と画像データや制御コマンド等の通信を行う。
【００１８】
画像取得主制御部４０６は、ＲＯＭ４０７に格納されたプログラムに基づき、画像制御部４１６、外部Ｉ／Ｆ制御部４１７、給紙モータ４１３、搬送モータ４１４の制御を行う。
【００１９】
４０７は画像取得主制御部４０６のプログラム等を格納したＲＯＭ（読み出し専用メモリ）である。４０８は画像読取センサ４０９へ撮像用の反射光を入れるために、光を発する光源である。４０９は撮像用の反射光をアナログの画像データ信号に変換する画像読取センサである。
【００２０】
４１０は画像読取センサ４０９から送られてきたアナログの画像データ信号をデジタル画像データ信号に変換し、画像制御部４１６に画像データ信号を送るＡ／Ｄ変換器である。
【００２１】
４１１は画像制御部４１６が取得した画像データ及び画像取得主制御部４０６のプログラムの一部等を一時格納しておくためのＳＤ−ＲＡＭ（書き込み可能メモリ）である。４１３は原稿を給紙させるための給紙モータである。４１４は原稿を搬送させるための搬送モータである。
【００２２】
４４１は給紙位置に原稿が積載されているか検知するための原稿有無検知センサである。４１５は画像読取のタイミングを取るための画像読取位置検知センサである。
【００２３】
[情報処理部４０３]
次に、情報処理部４０３について説明する。４１８はマイクロコンピュータの情報処理主制御部であり、一般にパーソナルコンピュータ（ＰＣ）等の情報処理装置に用いられる汎用のＯＳによって制御される。また、情報処理主制御部４１８は表示制御部４２９を備えている。この表示制御部４２９は、表示装置用の画像出力信号に変換し、表示装置４３０、外部表示装置４４０に対し表示装置用の画像信号の出力を行う。
【００２４】
４１９はメモリモジュールであり、情報処理主制御部４１８の作業用領域として使用される。例えば、メモリモジュール４１９は、画像取得部４０２が取得した画像データや、ＬＡＮ４３６を介した不図示の外部装置または外部メディア４３７から転送された画像データを、一時格納する。メモリモジュール４１９はＤＩＭＭ、ＳＯ−ＤＩＭＭ等により実現することができる。
【００２５】
４２０は情報処理主制御部４１８の起動プログラム等を記憶したＲＯＭ（読み出し専用メモリ）である。４２１は情報処理主制御部４１８と記憶装置４２２間の入出力データを制御するための記憶装置制御ユニットである。
【００２６】
４２２はＨＤＤや大容量ＲＯＭ等の記憶装置である。記憶装置４２２は、ＯＳやアプリケーションプログラムの制御や、管理者の個人認証結果等に基づき、各ユーザに対する画像読取装置４０１の機能の使用制限設定等を記憶する、
４２３はＬＡＮ４３６を介して外部装置と通信するためのＬＡＮ制御部である。ＬＡＮ制御部４２３は、サーバコンピュータ、クライアントコンピュータ等の不図示の外部装置と画像データ、制御コマンド、ユーザの個人特定データ等を送受信する。また、管理者の個人認証結果に基づき、画像読取装置４０１の機能の使用制限設定等を行ったりもする。
【００２７】
４２６は画像読取装置４０１を起動するための電源ＳＷ（スイッチ）である。４２５はタッチパネル等の操作入力装置であり、これを用いてユーザからの操作が入力される。
【００２８】
４２８は操作入力制御ユニットであり、操作入力装置４２５におけるユーザによる機能設定や入力操作に応じた入力信号データを情報処理主制御部４１８へ送信する。４３０はＬＣＤ等の表示装置であり、情報処理部４０３のアプリケーションプログラムを表示する。
【００２９】
４３５は個人特定センサであるである。個人特定センサ４３５は、反射光又は静電容量により身体的特徴（生体情報）の読み取りを行い、アナログ信号の個人特定データを出力する。なお、身体的特徴には、例えば、指紋、掌紋、虹彩などが含まれる。
【００３０】
４３２は個人特定センサ制御ユニットである。個人特定センサ制御ユニット４３２は、個人特定センサ４３５の制御及び個人特定センサ４３５から出力された個人特定データをアナログ信号からデジタル信号に変換し、個人認証制御部４３１へデジタル変換した個人特定データ信号を送信する。
【００３１】
４３１は個人認証制御部である。個人認証制御部４３１は、ユーザがＲＯＭ４３３に予め格納しておいたユーザの個人特定データと個人認証部４０５が検出した個人特定データを照合させて個人認証を行い、個人認証の結果を情報処理主制御部４１８へ送信する。また、新規ユーザ登録時には、そのユーザの個人特定データをＲＯＭ４３３に格納して、新規個人特定データ登録を行う。なお、本実施形態では、ＲＯＭ４３３にはフラッシュメモリ等の不揮発性メモリを用い、個人認証制御部４３１が所定の方法でＲＯＭ４３３にアクセスすることで、ＲＯＭ４３３に対する情報の書き込みが可能である。
【００３２】
なお、新規ユーザのユーザの個人特定データには、例えば、以下のものが含まれる。：
・個人認証部４０５が検出した個人特定データ。
・不図示の外部装置からＬＡＮ４３６、ＬＡＮ制御部４２３、情報処理主制御部４１８を介して送信された個人特定データ。
・外部メディア４３７に記憶され情報処理主制御部４１８を介して送信された個人特定データ。
【００３３】
４３３はＲＯＭ（読み出し専用メモリ）であり、個人認証制御部４３１のプログラム及びユーザの個人特定データを格納するために使用される。４３４は取得した個人認証制御部４３１に送信された個人認証の個人特定データ及び個人認証制御部４３１のプログラムの一部を一時格納しておくためのＲＡＭ（書き込み可能メモリ）である。
【００３４】
[外部装置]
ＬＡＮ４３６はサーバコンピュータ、クライアントコンピュータ等の不図示の外部装置へ接続するための通信回線である。
【００３５】
外部メディア４３７は、画像読取装置４０１が読取を行った画像データ、画像読取装置４０１を介して外部表示装置４４０へ表示する画像データ、個人認証部４０５の個人特定データ等を記憶しておく装置である。外部メディア４３７は、ＵＳＢメモリやフレキシブルディスク等によって実現することができる。
【００３６】
外部表示装置４４０は画像読取装置４０１から出力された画像信号に基づき、画像データの表示を行う装置である。外部表示装置４４０はモニターやプロジェクタ等によって実現することができる。
【００３７】
尚、以上の各装置と同等の機能を実現するソフトウェアにより、ハードウェア装置の代替として構成することもできる。
【００３８】
（画像読取装置の主要動作）
本実施形態の画像読取装置は、文書を光学的に読み取って画像データを取得し、当該画像データを外部表示装置に出力する。ここで、この画像読取装置は、ユーザの識別情報を受け取って、該ユーザが正当であるか否かを判定し、このユーザが正当であると判定されたことを条件として、このユーザからの指示に応じて、画像データを外部装置に送信する。このように、画像データの外部装置への送信は認証を条件としているため、この構成によれば、第三者が画像データを勝手に外部装置に送信することを防ぐことができる。
【００３９】
このような、画像読取装置４０１の情報処理主制御部４１８の動作について図２に基づき説明する。図２は、情報処理主制御部４１８が実行する処理の流れを示すフローチャートである。
【００４０】
ユーザが電源ＳＷ４２６を押下することにより画像読取装置４０１に電源が投入されると、Ｓ１０１にて画像読取装置４０１が起動される。具体的には、画像読取装置４０１は画像取得主制御部４０６が起動プログラムを記憶したＲＯＭ４０７に基づきプログラムを起動して画像取得部４０２の起動を行う。そして、情報処理主制御部４１８が起動プログラムを記憶したＲＯＭ４２０に基づきプログラムを起動させ、ＯＳ等のプログラムを記憶装置４２２からメモリモジュール４１９に読み出した上でＯＳを動作させて、情報処理部４０３の起動を行う。
【００４１】
Ｓ１０１にて画像読取装置４０１が起動後、Ｓ１０２ａにて、情報処理主制御部４１８は、画像読取装置４０１にある操作パネル部４０４を介してユーザによって情報処理主制御部４１８に対し個人認証解除指示が行われたか否かを判定する。なお、本実施形態では、画像読取装置４０１は、ユーザについて個人認証が行われている認証状態と、個人認証が行われていない、または、認証が解除されている解除状態とを区別して管理する。個人認証解除指示とは、認証状態を解除して解除状態に設定する指示である。個人認証解除指示を実行することによって、ユーザが画像読取装置４０１を離れているときに、第三者が認証状態でしか実行できない操作を行うことを防ぐことができる。なお、後述するように、認証状態にあるときはユーザが認証されているため、ユーザからの指示に応じて、画像データを外部装置に送信するが、認証状態にないときは、画像データの外部装置への送信を許可しない。
【００４２】
情報処理主制御部４１８に対し個人認証解除指示が行われたと判定された場合（Ｓ１０２ａにてＹＥＳ）はＳ１０６ａへ進む。Ｓ１０６ａでは、画像読取装置４０１の機能制限等を設定する個人認証設定を解除する。後述するように、個人認証設定は、Ｓ１０７ｂにて個人認証制御部４３１により照合された個人認証者に対して、Ｓ１０７ｃにて行われる。Ｓ１０６ａにて個人認証設定を解除した後、情報処理主制御部４１８は、Ｓ１０２ａにて、再度、ユーザから個人認証解除指示が行われたか否かを判定する。
【００４３】
Ｓ１０２ａにて情報処理主制御部４１８に対し個人認証解除指示が行われていない場合（Ｓ１０２ａでＮＯ）、Ｓ１０２ｂへ進む。
【００４４】
Ｓ１０２ｂでは、情報処理主制御部４１８は、後述のＳ１０７ｃにて情報処理主制御部４１８が個人認証設定を行ってから所定の時間が経過したかを判定する。Ｓ１０２ｂにて、Ｓ１０７ｃで個人認証設定を行ってから所定の時間が経過したと判定された場合（Ｓ１０２ｂでＹＥＳ）は、Ｓ１０６ａへ進んで個人認証設定を解除する。これは、所定の時間が経過している場合は、認証後に第三者が操作することを防ぐ必要があるためである。
【００４５】
Ｓ１０２ｂにて、Ｓ１０７ｃで個人認証設定を行ってから所定の時間が経過していないと判定された場合（Ｓ１０２ｂでＮＯ）は、Ｓ１０２ｃへ進む。
【００４６】
Ｓ１０２ｃでは、情報処理主制御部４１８は、画像読取装置４０１にある操作パネル部４０４を介してユーザから情報処理主制御部４１８に対し個人認証照合指示が行われたか否かを判定する。
【００４７】
個人認証照合指示が行われていないと判定された場合（Ｓ１０２ｃでＮＯ）はＳ１０２ｄへ進み、個人認証照合指示が行われていると判定された場合（Ｓ１０２ｃでＹＥＳ）はＳ１０７ａへ進む。
【００４８】
Ｓ１０２ｄでは、情報処理主制御部４１８は、画像読取装置４０１にある操作パネル部４０４を介してユーザから情報処理主制御部４１８に対し画像読取指示が行われたか否かを判定する。
【００４９】
Ｓ１０２ｄにて情報処理主制御部４１８に対し画像読取指示が行われていない場合と判定された場合（Ｓ１０２ｄでＮＯ）は、Ｓ１０２ａへ戻り、再び、情報処理主制御部４１８に対し個人認証解除指示が行われたかを判定する。一方、Ｓ１０２ｄにて画像読取指示が行われたと判定された場合（Ｓ１０２ｄでＹＥＳ）はＳ１０３へ進む。
【００５０】
Ｓ１０３では、情報処理主制御部４１８は、画像取得主制御部４０６に対し画像読取を実行する指示を行い、画像読取装置４０１に画像読取を行わせる。
【００５１】
Ｓ１０３にて情報処理主制御部４１８から画像読取を実行する指示を受信した画像取得主制御部４０６はＲＯＭ４０７に格納されたプログラムに基づき、画像の読み取りを行う。具体的には、画像読取位置検知センサ４１５、原稿有無検知センサ４４１の入力タイミングに合わせて、画像制御部４１６、外部Ｉ／Ｆ制御部４１７、給紙モータ４１３、搬送モータ４１４の制御を行う。そして、ＳＤ−ＲＡＭ４１１へ一時格納された画像データを外部ＩＦ制御部４１７、情報処理主制御部４１８を介し、メモリモジュール４１９に画像データを格納する。Ｓ１０３にて画像読取装置４０１の画像読取が完了すると、Ｓ１０４ａにて情報処理主制御部４１８は外部表示装置４４０に対し、外部表示装置用信号を出力する。
【００５２】
Ｓ１０４ａにて情報処理主制御部４１８はメモリモジュール４１９に一時保管してある画像データを表示制御部４２９にて表示装置用の信号に変換し、外部表示装置４４０に対し、外部表示装置用の信号を出力する。Ｓ１０４ａにて情報処理主制御部４１８が外部表示装置４４０に対し、外部表示装置用の信号を出力すると、Ｓ１０４ｂに進む。
【００５３】
Ｓ１０４ｂでは、情報処理主制御部４１８は読取を行った画像データのＬＡＮ４３６を介した不図示の外部装置または外部メディア４３７への送信をユーザが許可されているかを判定する。例えば、
・Ｓ１０４ｂにてユーザが個人認証を行っていない場合。
・後述のＳ１０７ｃの個人認証設定にて読取を行った画像データのＬＡＮ４３６を介した不図示の外部装置または外部メディア４３７への送信を許可されていない個人認証者の場合。
などは、情報処理主制御部４１８は読取を行った画像データのＬＡＮ４３６を介した不図示の外部装置または外部メディア４３７への送信をユーザが許可されていないと判定する。
【００５４】
画像データの送信が許可されていないと判定された場合（Ｓ１０４でＮＯ）はＳ１０２ａに戻る。そして、情報処理主制御部４１８はユーザが画像読取装置４０１にある操作パネル部４０４を介して情報処理主制御部４１８に対し個人認証解除指示が行われたかを判定する。
【００５５】
一方、画像データの送信が許可されていると判定された場合（Ｓ１０４でＹＥＳ）はＳ１０５に進む。Ｓ１０５では、画像読取装置４０１内の情報処理主制御部４１８はＬＡＮ４３６を介した不図示の外部装置または外部メディア４３７へメモリモジュール４１９に一時保管している画像データの送信を行う。そして、Ｓ１０２ａに戻り、情報処理主制御部４１８はユーザが画像読取装置４０１にある操作パネル部４０４を介して情報処理主制御部４１８に対し個人認証解除指示が行われたかを判定する。
【００５６】
一方、Ｓ１０２ｃにて情報処理主制御部４１８に対し個人認証照合指示が行われた場合（Ｓ１０２ｃでＹＥＳ）はＳ１０７ａに進む。
【００５７】
Ｓ１０７では、情報処理主制御部４１８は所定時間内に個人認証制御部４３１により個人特定データの読取の実行が通知されたかを判定する。
【００５８】
また、個人認証制御部４３１からの個人特定データの読取を行ったかの通知は、例えば、ユーザが身体的特徴を入力したことに応じて行われる。具体的には、所定の時間内にユーザが個人特定センサ４３５に指等の身体的特徴を押し当てると、個人特定センサ４３５は反射光又は静電容量によりユーザが押し当てた身体的特徴の読取を行。そして、個人特定センサ制御ユニット４３２へアナログ信号の個人特定データを送信する。次に、個人特定センサ制御ユニット４３２が個人特定センサ４３５より受信した個人特定データアナログ信号から個人特定データデジタル信号に変換して個人認証制御部４３１へ送信する。そして、個人認証部４３１が個人特定センサ制御ユニット４３２より個人特定データデジタル信号を受信し、ＲＡＭ４３４へ個人特定データを格納する。
【００５９】
Ｓ１０７ａにて情報処理主制御部４１８は個人認証制御部４３１より個人特定データの読取が行われたことを通知されなかった場合（Ｓ１０７ａでＮＯ）は、Ｓ１０２ａに戻る。Ｓ１０２ａでは、情報処理主制御部４１８はユーザが画像読取装置４０１にある操作パネル部４０４を介して情報処理主制御部４１８に対し個人認証解除指示が行われたかを判定する。
【００６０】
一方、Ｓ１０７ａにて情報処理主制御部４１８は個人認証制御部４３１より個人特定データの読取が行われたことを通知された場合、（Ｓ１０７ａでＹＥＳ）は、Ｓ１０７ｂに進む。Ｓ１０７ｂでは、情報処理主制御部４１８は個人特定データの照合が一致したことが個人認証制御部４３１より通知されたかを判定する。
【００６１】
ここで、個人特定データの照合が一致したことの通知は、ユーザが予めＲＯＭ４３３へ登録してある個人特定データとＳ１０７ａにて取得した個人特定データを個人認証制御部４３１が照合を行い、一致する個人特定データが存在した場合に行われる。また、個人認証制御部４３１は個人特定データの照合が一致したことの通知の際に、個人特定データの照合で一致したユーザの識別情報を情報処理主制御部４１８へ送信する。これにより、個人認証者が特定される。また、一致する個人特定データが存在しなかった場合、個人認証制御部４３１は個人特定データの照合が一致しなかったことを情報処理主制御部４１８に通知する。
【００６２】
Ｓ１０７ｂにて情報処理主制御部４１８は個人認証制御部４３１より個人特定データの照合が一致しないことを通知された場合（Ｓ１０７ｂでＮＯ）はＳ１０２ａに戻る。Ｓ１０２ａでは、情報処理主制御部４１８はユーザが画像読取装置４０１にある操作パネル部４０４を介して情報処理主制御部４１８に対し個人認証解除指示が行われたかを判定する。
【００６３】
一方、Ｓ１０７ｂにて情報処理主制御部４１８は個人認証制御部４３１より個人特定データの照合が一致したことを通知された場合（Ｓ１０７ｂでＹＥＳ）はＳ１０７ｃに進む。
【００６４】
Ｓ１０７ｃにて情報処理主制御部４１８は画像読取装置４０１の個人認証設定を行う。具体的には、Ｓ１０７ｂで照合された個人認証者について、画像読取装置４０１の読取画像のＬＡＮ４３６を介した不図示の外部装置または外部メディア４３７への送信使用許可／不許可の設定等を行う。
【００６５】
次に、Ｓ１０７ｄにて情報処理主制御部４１８はメモリモジュール４１９に画像データが保管されているか判定を行う。
【００６６】
Ｓ１０７ｄにて情報処理主制御部４１８はメモリモジュール４１９に画像データが保管されていないと判定した場合はＳ１０２ａに戻る。Ｓ１０２ａでは、情報処理主制御部４１８はユーザが画像読取装置４０１にある操作パネル部４０４を介して情報処理主制御部４１８に対し個人認証解除指示が行われたかを判定する。
【００６７】
一方、Ｓ１０７ｄにてメモリモジュール４１９に画像データが保管されていると判定した場合はＳ１０４ｂに進む。Ｓ１０４ｂでは、情報処理主制御部４１８は読取を行った画像データのＬＡＮ４３６を介した不図示の外部装置または外部メディア４３７への送信をユーザが許可されているかを判定する。
【００６８】
上記のように、本実施形態の構成では、不特定多数のユーザが読取を行った画像を外部表示装置に出力することはできるように制御する。一方、その画像データをローカルエリアネットワークに接続された外部端末装置または外部記憶装置への送信は情報処理部によって許可されたユーザしか送信できないように制御する。このため、画像読取装置単体で個人認証の管理ができ、データの流出を防ぐことができるため、個人認証に煩わしさがなく、セキュリティを確保することができる。
【００６９】
また、本実施形態では、ユーザが正当であると判定されてから予め定められた時間が経過するまでにユーザから指示がなされた場合に、画像データを外部装置に送信する。このように、認証が行われてから画像データの送信を受け付ける時間を一定時間に限定することで、第三者がその画像データを外部装置に送信することを効果的に防止することができる。
【００７０】
すなわち、前記個人認証手段で個人認証照合後に所定時間が経過した場合、再度個人認証を必要としている。このため、個人認証照合を行ったユーザが画像読取装置の使用を完了し、ユーザが許可された状態の解除を忘れてしまった場合など、不正ユーザが個人認証されたユーザになりすまして、画像読取装置を操作することを防止できる。したがって、セキュリティを確保することができる。
【００７１】
なお、本実施形態のブロック図では個人認証部４０５が情報処理部４０３側にあるが、画像取得部４０２側に設置してもよい。
【００７２】
また、本実施形態の状態遷移図の説明においては個人認証部ではセンサを用いて個人認証を行ったが、スイッチ等の入力装置で行ってもよい。
【００７３】
また、本実施形態の状態遷移図の説明では個人認証の入力操作及び画像読取指示を操作パネル部４０４の入力より行っているが、ＬＡＮ４３６、ＬＡＮ制御部４２３を介した不図示の外部装置の入力から行ってもよい。
【００７４】
＜＜第２の実施形態＞＞
第２の実施形態は上記第１の実施形態に加え、ローカルエリアネットワークに接続された外部装置から送信された画像データを、許可されたユーザが個人認証照合を行うまで、外部表示装置へ出力できないようにしたものである。
【００７５】
図３は本発明の第２の実施形態における、第１の実施形態より加えられた箇所について画像読取装置内の情報処理主制御部の動作を説明するフローチャートである。図４は本発明の第２の実施形態における画像読取装置の動作を説明する状態遷移図である。また、本発明の第２の実施形態における画像読取装置の電気的接続を示すブロック図は、第１の実施形態と同様である。
【００７６】
（画像読取装置内の主要動作）
本実施形態に係る画像読取装置４０１の情報処理主制御部４１８の動作について、図３に基づき説明する。図３は、情報処理主制御部４１８が実行する処理の流れを示すフローチャートである。
【００７７】
画像読取装置４０１にユーザが電源ＳＷ４２６を押下することにより電源を投入すると、画像読取装置４０１はＳ１０１にて画像取得主制御部４０６が起動プログラムを記憶したＲＯＭ４０７に基づきプログラムを起動して画像取得部４０２を起動する。次に、情報処理主制御部４１８が起動プログラムを記憶したＲＯＭ４２０に基づきプログラムを起動させ、ＯＳ等のプログラムを記憶装置４２２からメモリモジュール４１９に読み出した上でＯＳを動作させる。、情報処理部４０３の起動を行い、画像読取装置４０１が起動される。Ｓ１０１にて画像読取装置４０１が起動後、Ｓ１０８ａにて情報処理主制御部４１８はユーザが画像読取装置４０１にある操作パネル部４０４を介して情報処理主制御部４１８に対し個人認証解除指示が行われたかを判定する。
【００７８】
Ｓ１０８ａにて個人認証解除指示が行われたと判定された場合（Ｓ１０８ａでＹＥＳ）、Ｓ１１０にて情報処理主制御部４１８は外部表示装置４４０に対して出力していた、外部表示装置用の出力信号を停止する。そしてＳ１０６ｂに進む。
【００７９】
Ｓ１０６ｂでは、これまでに画像読取装置４０１に設定されている個人認証設定を解除する。後述するように、情報処理主制御部４１８は、Ｓ１０７ｆにて個人認証制御部４３１により個人認証者を照合し、Ｓ１０７ｇにてその照合された個人認証者に対して画像読取装置４０１の機能制限等を設定する個人認証設定を行う。
【００８０】
Ｓ１０６ｂにて個人認証設定を解除を行うと、Ｓ１０８ａに戻り、情報処理主制御部４１８はユーザが画像読取装置４０１にある操作パネル部４０４を介して情報処理主制御部４１８に対し個人認証解除指示が行われたかを判定する。
【００８１】
Ｓ１０８ａにて個人認証解除指示が行われていないと判定された場合（Ｓ１０８ａでＮＯ）、Ｓ１０８ｂにて情報処理主制御部４１８は後述のＳ１０７ｃにて情報処理主制御部４１８が個人認証設定を行ってから所定の時間が経過したかを判定する。
【００８２】
Ｓ１０８ｂにて個人認証設定を行ってから所定の時間が経過したと判定された場合（Ｓ１０８ｂでＹＥＳ）、Ｓ１１０へ進み、情報処理主制御部４１８は外部表示装置４４０に対して出力していた、外部表示装置用の出力信号を停止する。一方、Ｓ１０８ｂにて個人認証設定を行ってから所定の時間が経過していないと判定された場合（Ｓ１０８ｂでＮＯ）は、Ｓ１０８ｃへ進む。
【００８３】
Ｓ１０８ｃでは、情報処理主制御部４１８はユーザが画像読取装置４０１にある操作パネル部４０４を介して情報処理主制御部４１８に対し個人認証照合指示が行われたかを判定する。
【００８４】
Ｓ１０８ｃにて個人認証照合指示が行われていないと判定された場合（Ｓ１０８ｃでＮＯ）は、Ｓ１０８ｄへ進む。Ｓ１０８ｄでは、情報処理主制御部４１８はユーザが画像読取装置４０１にある操作パネル部４０４を介して情報処理主制御部４１８に対し外部装置画像データ送信指示が行われたかを判定する。
【００８５】
Ｓ１０８ｄにて外部装置画像データ送信指示が行われていないと判定された場合（Ｓ１０８ｄでＮＯ）は、Ｓ１０８ａに戻る。Ｓ１０８ａでは、上述のように、情報処理主制御部４１８はユーザが画像読取装置４０１にある操作パネル部４０４を介して情報処理主制御部４１８に対し個人認証解除指示が行われたかを判定する。
【００８６】
一方、Ｓ１０８ｄにてユーザから外部装置画像データ送信指示が行われたと判定された場合（Ｓ１０８ｄでＹＥＳ）は、Ｓ１０９ａに進む。Ｓ１０９ａでは、情報処理主制御部４１８はＬＡＮ４３６を介した不図示の外部装置または外部メディア４３７に対し情報処理主制御部４１８が指定した所定の画像データを情報処理主制御部４１８へ送信する指示を行う。そして、Ｓ１０９ｂに進む。
【００８７】
Ｓ１０９ｂでは、ＬＡＮ４３６を介した不図示の外部装置または外部メディア４３７は所定の画像データを情報処理主制御部４１８へ送信し、情報処理主制御部４１８は受信した画像データをメモリモジュール４１９に転送する。そして、Ｓ１０９ｃに進む。
【００８８】
Ｓ１０９ｃでは、情報処理主制御部４１８はＬＡＮ４３６を介した不図示の外部装置または外部メディア４３７より受信した画像データの外部表示装置４４０への出力がユーザから許可されているかを判定する。例えば、ユーザが個人認証を行っていない場合や、後述のＳ１０７ｇの個人認証設定にて外部表示装置用信号出力を許可されていない場合は、外部表示装置用信号出力を許可されていないと判定する。
【００８９】
Ｓ１０９ｃで、画像データの外部表示装置４４０への出力がユーザから許可されていないと判定された場合（Ｓ１０９ｃでＮＯ）はＳ１０８ａに戻る。Ｓ１０８ａでは、上述のように、情報処理主制御部４１８はユーザが画像読取装置４０１にある操作パネル部４０４を介して情報処理主制御部４１８に対し個人認証解除指示が行われたかを判定する。
【００９０】
一方、Ｓ１０９ｃにて外部表示装置用信号出力を許可されていると判定された場合（Ｓ１０９ｃでＹＥＳ）は、Ｓ１０４ｃにて情報処理主制御部４１８は外部表示装置４４０に対し、外部表示装置用信号を出力する。具体的には、情報処理主制御部４１８はメモリモジュール４１９に一時保管してある画像データを表示制御部４２９にて表示装置用の信号に変換し、外部表示装置４４０に対し、外部表示装置用の信号を出力する。そして、Ｓ１０８ａに戻り、上述のように、情報処理主制御部４１８はユーザが画像読取装置４０１にある操作パネル部４０４を介して情報処理主制御部４１８に対し個人認証解除指示が行われたかを判定する。
【００９１】
一方、Ｓ１０８ｃにて情報処理主制御部４１８に対し個人認証照合指示が行われたと判定された場合（Ｓ１０８ｃでＹＥＳ）はＳ１０７ｅに進む。
【００９２】
Ｓ１０７ｅでは、情報処理主制御部４１８は所定時間内に個人認証制御部４３１により個人特定データの読取実行が通知されたかを判定する。ここで、個人認証制御部４３１からの個人特定データの読取実行の通知は、所定の時間内にユーザが個人特定センサ４３５に指紋等の身体的特徴を押し当てたことに応じて行われる。身体的特徴が押し当てられると、個人特定センサ４３５は、反射光又は静電容量によりユーザが押し当てた身体的特徴を読み取り、個人特定センサ制御ユニット４３２へアナログ信号の個人特定データを送信する。そして、個人特定センサ制御ユニット４３２が個人特定センサ４３５より受信した個人特定データアナログ信号から個人特定データデジタル信号に変換して個人認証制御部４３１へ送信する。個人認証部４３１が個人特定センサ制御ユニット４３２より個人特定データデジタル信号を受信し、ＲＡＭ４３４へ個人特定データを格納する。
【００９３】
Ｓ１０７ｅにて情報処理主制御部４１８は個人認証制御部４３１より個人特定データの読取実行が通知されなかったと判定した場合（Ｓ１０７ｅでＮＯ）は、Ｓ１０８ａに戻る。Ｓ１０８ａでは、上述のように、情報処理主制御部４１８はユーザが画像読取装置４０１にある操作パネル部４０４を介して情報処理主制御部４１８に対し個人認証解除指示が行われたかを判定する。
【００９４】
一方、Ｓ１０７ｅにて個人特定データの読取実行が通知されたと判定された場合（Ｓ１０７ｅでＹＥＳ）は、Ｓ１０７ｆに進む。
【００９５】
Ｓ１０７ｆでは、情報処理主制御部４１８は、個人特定データの照合が一致したことが個人認証制御部４３１より通知されたかを判定する。ここで、個人特定データの照合が一致したとの通知は、ユーザが予めＲＯＭ４３３へ登録してある個人特定データとＳ１０７ｅにて取得した個人特定データとを個人認証制御部４３１が照合を行い、一致する個人特定データが存在した場合に行われる。また、個人認証制御部４３１は個人特定データの照合が一致したとの通知の際に、個人特定データの照合で一致したユーザを情報処理主制御部４１８へ送信し、個人認証者が特定される。また、一致する個人特定データが存在しなかった場合、個人認証制御部４３１は個人特定データの照合が一致しなかったことを情報処理主制御部４１８に通知する。
【００９６】
Ｓ１０７ｆにて情報処理主制御部４１８は個人認証制御部４３１より個人特定データの照合が一致しないことを通知された場合（Ｓ１０７ｆでＮＯ）は、Ｓ１０８ａに戻る。Ｓ１０８ａでは、上述のように、情報処理主制御部４１８はユーザが画像読取装置４０１にある操作パネル部４０４を介して情報処理主制御部４１８に対し個人認証解除指示が行われたかを判定する。
【００９７】
一方、Ｓ１０７ｆにて個人特定データの照合が一致したことを通知された場合（Ｓ１０７ｆでＹＥＳ）はＳ１０７ｇに進む。Ｓ１０７ｇでは、情報処理主制御部４１８は個人認証設定を行う。具体的には、Ｓ１０７ｂで照合された個人認証者について、外部表示装置用の信号出力使用許可／不許可の設定等を行う。そして、Ｓ１０７ｈに進む。
【００９８】
Ｓ１０７ｈでは、情報処理主制御部４１８はメモリモジュール４１９に画像データが保管されているか判定を行う。
【００９９】
Ｓ１０７ｈにて情報処理主制御部４１８はメモリモジュール４１９に画像データが保管されていないと判定した場合はＳ１０８ａに戻る。Ｓ１０８ａでは、上述のように、情報処理主制御部４１８はユーザが画像読取装置４０１にある操作パネル部４０４を介して情報処理主制御部４１８に対し個人認証解除指示が行われたかを判定する。
【０１００】
一方、Ｓ１０７ｈにてメモリモジュール４１９に画像データが保管されていると判定した場合はＳ１０９ｃに進む。Ｓ１０９ｃでは、情報処理主制御部４１８はＬＡＮ４３６を介した不図示の外部装置または外部メディア４３７より受信した画像データの外部表示装置４４０への出力をユーザが許可されているかを判定する。許可されていると判定された場合（Ｓ１０７ｈでＹＥＳ）はＳ１０９ｂに進み、許可されていないと判定された場合（Ｓ１０７ｈでＮＯ）はＳ１０８ａに戻る。
【０１０１】
上記のように、本実施形態では、画像読取装置４０１は、外部装置から画像データを受信し、ユーザが正当であると判定されたことを条件として、このユーザからの指示に応じて、受信した画像データを外部表示装置に出力するように制御する。したがって、本実施形態の構成によれば、外部装置から受信した画像データの表示を適切に操作することができる。
【０１０２】
また、本実施形態では、ユーザが正当であると判定されてから予め定められた時間が経過するまでに前記ユーザから指示がなされた場合に、受信した画像データを外部表示装置に出力する。このため、認証が行われてから画像データの表示を受け付ける時間を一定時間に限定することで、第三者がその画像データを外部表示装置に表示させることを効果的に防止することができる。
【０１０３】
（画像読取装置の全体動作）
次に、本発明の第２の実施形態における画像読取装置の全体動作について、図４の状態遷移図を用いて説明する。
【０１０４】
プログラム起動状態（Ｓ１０１）は、画像読取装置４０１がプログラムを起動して処理を実行可能な状態である。プログラム起動状態は画像読取装置４０１に電源が投入されたことに応じて開始する。具体的には、画像読取装置４０１にユーザが電源ＳＷ４２６を押下することにより電源を投入し、画像取得主制御部４０６が起動プログラムを記憶したＲＯＭ４０７に基づきプログラムを起動して画像取得部４０２の起動を行う。そして、情報処理主制御部４１８が起動プログラムを記憶したＲＯＭ４２０に基づきプログラムを起動させ、ＯＳ等のプログラムを記憶装置４２２からメモリモジュール４１９に読み出した上でＯＳを動作させ、情報処理部４０３の起動を行う。このようにして、画像読取装置４０１はプログラム起動状態となる。
【０１０５】
画像読取装置４０１の起動が完了後、画像読取装置４０１は画像読取待機状態（Ｓ１０２）に遷移する。ただし、画像読取装置４０１の起動完了後に、画像読取装置４０１は、外部装置画像データ送信待機状態（Ｓ１０８）に遷移してもよい。
【０１０６】
画像読取待機状態（Ｓ１０２）は原稿が搭載された画像読取装置４０１に対し、ユーザから画像読取の指示が行なわれるのを情報処理主制御部４１８及び画像取得主制御４０６が待っている状態である。Ｓ１０２にてユーザが操作パネル部４０４を介して、情報処理主制御部４１８に対し画像読取指示を行うと、情報処理主制御部４１８は画像取得主制御部４０６に対し画像読取を実行する指示を行い、画像読取実行状態（Ｓ１０３）に遷移する。
【０１０７】
また、画像読取待機状態（Ｓ１０２）にて原稿有無検知センサ２２１が原稿を検知しない場合または画像読取装置４０１に外部メディア４３７が接続された場合は、外部から転送された画像データを外部表示装置４４０へ出力する場合と考えられる。例えば、ＬＡＮ４３６を介した不図示の外部装置または外部メディア４３７にある画像データを、外部表示装置４４０へ出力する場合である。このため、情報処理主制御部４１８はメモリモジュール４１９に画像データが保管されている場合は画像データを削除し、画像読取装置４０１は外部装置画像データ送信待機状態（Ｓ１０８）に遷移する。
【０１０８】
本実施形態では原稿有無検知センサ４４１が原稿を検知しない場合または画像読取装置４０１に外部メディア４３７が接続された場合、画像読取装置４０１は外部装置画像データ送信待機状態（Ｓ１０８）に遷移するが、これに限られない。例えば、ユーザの設定により画像読取装置４０１は外部装置画像データ送信待機状態（Ｓ１０８）に遷移しないようにしてもよい。
【０１０９】
また、例えば、ユーザが画像読取装置４０１にある操作パネル部４０４等により、画像読取装置４０１に対し外部装置画像データ送信待機状態（Ｓ１０８）に移行する指示を行った場合は、外部装置画像データ送信待機状態（Ｓ１０８）に遷移してもよい。
【０１１０】
また、画像読取待機状態（Ｓ１０２）にてユーザがＬＡＮ４３６を介した不図示の外部装置からのコマンド指示や画像読取装置４０１にある操作パネル部４０４を介して情報処理主制御部４１８に対し個人認証照合指示を行ったとする。このような場合、情報処理主制御部４１８は、個人認証制御部４３１に対し個人認証照合を行うよう指示を行い、画像読取装置４０１は個人認証照合状態（Ｓ１０７）に遷移する。
【０１１１】
また、画像読取待機状態（Ｓ１０２）にて後述のＳ１０６の個人認証状態での個人認証照合完了から所定時間が経過した場合、個人認証照合を行ったユーザが使用を終え、個人認証を解除し忘れたと考えられる。このため、画像読取装置４０１は個人認証解除状態（Ｓ１０６）に遷移する。
【０１１２】
また、上述以外の場合でも画像読取装置４０１はユーザが画像読取装置４０１にある操作パネル部４０４を介して情報処理主制御部４１８に対し個人認証解除指示を行うと、画像読取装置４０１は個人認証解除状態（Ｓ１０６）に遷移する。
【０１１３】
画像読取状態（Ｓ１０３）は文書を光学的に読み取って画像データを取得する状態である。具体的には、情報処理主制御部４１８から画像読取を実行する指示を受信した画像取得主制御部４０６がＲＯＭ４０７に格納されたプログラムに基づき、文書の読み取り動作を制御する。すなわち、画像読取位置検知センサ４１５、原稿有無検知センサ４４１の入力タイミングに合わせて、画像制御部４１６、外部Ｉ／Ｆ制御部４１７、給紙モータ４１３、搬送モータ４１４の制御を行う。そして、ＳＤ−ＲＡＭ４１１へ一時格納された画像データを外部ＩＦ制御部４１７、情報処理主制御部４１８を介し、メモリモジュール４１９に画像データを格納する。画像読取が終了すると画像読取装置４０１は外部表示装置用信号出力状態（Ｓ１０４）に遷移する。
【０１１４】
外部表示装置用信号出力状態（Ｓ１０４）は情報処理主制御部４１８がメモリモジュール４１９に一時保管してある画像データを表示制御部４２９にて表示装置用の信号に変換し、外部表示装置４４０に表示装置用の信号出力を行う状態である。外部表示装置用信号出力状態（Ｓ１０４）にて表示装置用の信号出力を行う場合、
・外部表示装置用信号出力状態（Ｓ１０４）の直前状態が画像読取状態（Ｓ１０３）であること。
・個人認証を行ったユーザが読取を行った画像データのＬＡＮ４３６を介した不図示の外部装置または外部メディア４３７への送信を許可されていること。
の両方が成立するときは、画像読取装置４０１は読取画像送信状態（Ｓ１０５）に遷移する。また、
・外部表示装置用信号出力状態（Ｓ１０４）の直前状態が画像読取状態（Ｓ１０３）でをあること。
・個人認証を行ったユーザが読取を行った画像データのＬＡＮ４３６を介した不図示の外部装置または外部メディア４３７への送信が不許可であるか個人認証を行っていないこと。
の両方が成立するときは、画像読取装置４０１は画像読取待機状態（Ｓ１０２）へ遷移する。また、外部表示装置用信号出力状態（Ｓ１０４）の直前状態が個人認証状態（Ｓ１０７）またはＳ１０９の外部装置画像データ送信のときは、画像読取装置４０１は外部装置画像データ送信待機状態（Ｓ１０８）へ遷移する。
【０１１５】
読取画像送信状態（Ｓ１０５）はメモリモジュール４１９に一時保管している画像データを情報処理主制御部４１８がＬＡＮ４３６を介した不図示の外部装置または外部メディア４３７へ送信を行う状態である。読取画像送信状態（Ｓ１０５）にて情報処理主制御部４１８がＬＡＮ４３６を介した不図示の外部装置または外部メディア４３７の所定の場所へ送画像データの送信を行うと、画像読取装置４０１は画像読取待機状態（Ｓ１０２）に遷移する。
【０１１６】
個人認証解除状態（Ｓ１０６）は主制御部４１８が個人認証状態（Ｓ１０７）で照合された個人認証者と照合された個人認証者に行った画像読取装置４０１の機能制限等を設定する個人認証設定を解除する状態である。Ｓ１０６にて個人認証の解除が完了し、個人認証解除状態（Ｓ１０６）の直前状態が画像読取待機状態（Ｓ１０２）であった場合、画像読取装置４０１は画像読取状態（Ｓ１０２）に遷移する。
【０１１７】
また、個人認証解除状態（Ｓ１０６）の直前状態が外部表示装置用信号出力停止状態（Ｓ１１０）であった場合、画像読取装置４０１は外部装置画像データ送信待機状態（Ｓ１０８）に遷移する。
【０１１８】
個人認証照合状態（Ｓ１０７）はユーザが画像読取装置４０１内の個人認証部４０５を用いて個人認証の照合を行う状態である。ユーザが個人特定センサ４３５に指等の身体的特徴を押し当てると、個人特定センサ４３５は反射光又は静電容量により個人特定の身体的特徴の読取を行い、個人特定センサ制御ユニット４３２へアナログ信号の個人特定データを送信する。送信された個人特定データは個人特定センサ制御ユニット４３２にてアナログ信号からデジタル信号に変換され、個人認証制御部４３１へ送信され、個人認証制御部４３１はＲＡＭ４３４へ個人特定データを格納する。個人認証制御部４３１はユーザが予めＲＯＭ４３３へ登録してある個人特定データと照合を行い、照合結果を情報処理主制御部４１８へ送信する。情報処理主制御部４１８は受信した個人認証結果に基づき、個人認証者を決定し、管理者が個人認証者に設定した画像読取装置４０１の読取画像の送信および表示装置出力の使用許可／不許可の設定を呼び出す。そして、
・Ｓ１０７にて個人認証照合が完了したこと。
・Ｓ１０７の直前状態が画像読取待機状態（Ｓ１０２）であること。
・メモリモジュール４１９に画像データが保管されていること。
・ＬＡＮ４３６を介した不図示の外部装置または外部メディア４３７への読取画像の送信を情報処理主制御部４１８に許可する設定がなされていること。
の各条件が全て成立する場合、画像読取装置４０１は読取画像送信状態（Ｓ１０５）に遷移する。
【０１１９】
また、Ｓ１０７の直前状態が画像読取待機状態（Ｓ１０２）でかつ、上述の条件を満たさない場合は、画像読取装置４０１は画像読取状態（Ｓ１０２）に遷移する。
【０１２０】
また、
・Ｓ１０７の直前状態が外部装置画像データ送信待機状態（Ｓ１０８）であること。
・メモリモジュール４１９に画像データが保管されていること。
・外部表示装置用の信号出力を情報処理主制御部４１８に許可する設定がなされていること。
の各条件が全て成立する場合、画像読取装置４０１は外部表示装置用信号出力状態（Ｓ１０４）に遷移する。
【０１２１】
また、Ｓ１０７の直前状態が外部装置画像データ送信待機状態（Ｓ１０８）でかつ、上述の条件を満たさない場合、画像読取装置４０１は外部装置画像データ送信待機状態（Ｓ１０８）に遷移する。
【０１２２】
また、個人認証照合状態（Ｓ１０７）から所定時間が経過した場合でかつＳ１０７の直前状態が画像読取待機状態（Ｓ１０２）の場合、画像読取装置４０１は画像読取状態（Ｓ１０２）に遷移する。
【０１２３】
また、個人認証照合状態（Ｓ１０７）から所定時間が経過した場合で、かつ、Ｓ１０７の直前状態が外部装置画像データ送信待機状態（Ｓ１０８）の場合、画像読取装置４０１は外部装置画像データ送信待機状態（Ｓ１０８）に遷移する。
【０１２４】
外部装置画像データ送信待機状態（Ｓ１０８）は、外部装置から画像読取装置４０１へ画像データを送信するための指示がユーザからなされるのを情報処理主制御部４１８が待機している状態である。すなわち、ユーザがＬＡＮ４３６を介した不図示の外部装置または外部メディア４３７にある所定の画像データを画像読取装置４０１内のメモリモジュール４１９に保管させ、表示制御部４２９を介して表示装置用の信号を出力する指示を待機する状態である。Ｓ１０８にてユーザが操作パネル部４０４を介して、情報処理主制御部４１８に対し外部装置画像データ送信指示を行うと、画像読取装置４０１は外部装置データ送信状態（Ｓ１０９）に遷移する。
【０１２５】
また、Ｓ１０８にて原稿有無検知センサ４４１が原稿の搭載を検知した場合、ユーザは、画像読取装置４０１に原稿（文書）を読み取らせ、読み取った画像データを外部表示装置４４０へ出力することを希望していると考えられる。このため、情報処理主制御部４１８はメモリモジュール４１９に画像データが保管されている場合は画像データを削除し、画像読取装置４０１は画像読取待機状態（Ｓ１０２）に遷移する。
【０１２６】
なお、本実施形態では原稿有無検知センサ４４１が原稿の搭載を検知した場合、画像読取待機状態（Ｓ１０２）に遷移しているが、ユーザの設定により、画像読取装置４０１は画像読取待機状態（Ｓ１０２）に遷移しないようにしてもよい。
【０１２７】
また、上述以外の場合でもユーザが操作パネル部４０４を介して、情報処理主制御部４１８に対し画像読取待機状態（Ｓ１０２）に移行する指示を行った場合は、画像読取装置４０１は画像読取待機状態（Ｓ１０２）に遷移する。
【０１２８】
また、外部装置画像データ送信待機状態（Ｓ１０８）にて個人認証後から所定時間が経過した場合、個人認証を行ったユーザが使用を終え、個人認証状態を解除し忘れたと考えられる。このため、情報処理主制御部４１８は外部表示装置用信号出力停止状態（Ｓ１１０）に遷移し、Ｓ１１０にて情報処理主制御部４１８は外部表示装置用信号の出力を停止し、情報処理主制御部４１８は個人認証解除状態（Ｓ１０６）に遷移する。
【０１２９】
また、上述以外の場合でも情報処理主制御部４１８はユーザが操作パネル部４０４により個人認証解除する指示を行った場合、画像読取装置４０１は外部表示装置用信号出力停止状態（Ｓ１１０）に遷移する。そして、画像読取装置４０１はＳ１１０にて外部表示装置用信号の出力を停止した後、画像読取装置４０１は個人認証解除状態（Ｓ１０６）に遷移する。
【０１３０】
外部装置画像データ送信状態（Ｓ１０９）は、ＬＡＮ４３６を介した不図示の外部装置または外部メディア４３７にある所定の画像データを画像読取装置４０１内のメモリモジュール４１９に保管する状態である。外部装置画像データ送信状態（Ｓ１０９）にて、
・ＬＡＮ４３６を介した不図示の外部装置または外部メディア４３７にある所定の画像データが画像読取装置４０１内のメモリモジュール４１９へ保管が完了したこと。
・個人認証を行ったユーザの外部表示装置用信号出力の送信設定が許可されていること。
の両方が成立すると、画像読取装置４０１は外部表示装置用信号出力状態（Ｓ１０４）に遷移する。
【０１３１】
また、個人認証を行ったユーザの外部表示装置用信号出力の送信設定が許可されていない場合または個人認証を行っていない場合、画像読取装置４０１は外部装置画像データ送信待機状態（Ｓ１０８）へ遷移する。
【０１３２】
外部表示装置用信号出力停止状態（Ｓ１１０）は、情報処理主制御部４１８が外部表示装置４４０へ出力していた表示装置用の出力信号を停止する状態である。外部表示装置用信号出力停止状態（Ｓ１１０）にて情報処理主制御部４１８が外部表示装置用の出力信号を停止後、画像読取装置４０１は個人認証解除状態（Ｓ１０６）に遷移する。
【０１３３】
以上のように本実施形態では、第１の実施形態に加え、ローカルエリアネットワークに接続された外部装置から画像読取装置へ画像データを送信したユーザが認証されたことを条件に、外部表示装置への画像データの出力が実行可能になる。このため、不正ユーザが表示装置の表示内容を見ることを効果的に防止することができるため、データの流出を防ぐことができ、したがってセキュリティを確保することができる。
【０１３４】
また、本実施形態では、個人認証照合後に所定時間が経過した場合、再度個人認証を必要としている。このため、個人認証照合を行ったユーザが画像読取装置の使用を完了し、ユーザが許可された状態の解除を忘れてしまった場合など、不正ユーザが個人認証されたユーザになりすまして、画像読取装置を操作することを防止できる。したがって、セキュリティを確保することができる。
【０１３５】
なお、本実施形態のブロック図では個人認証部４０５が情報処理部４０３側にあるが、画像取得部４０２側に設置してもよい。
【０１３６】
また、本実施形態の状態遷移図の説明においては個人認証部ではセンサを用いて個人認証を行ったが、スイッチ等の入力装置で行ってもよい。
【０１３７】
また、本実施形態の状態遷移図の説明では個人認証の入力操作及び画像読取指示を操作パネル部４０４の入力より行っているが、ＬＡＮ４３６、ＬＡＮ制御部４２３を介した不図示の外部装置の入力から行うようにしてもよい。
【０１３８】
＜＜その他の実施形態＞＞
ユーザの認証に用いるユーザの識別情報には、該ユーザの生体情報が含まれるようにしてもよい。このような生体情報には、指紋、静脈、掌紋、光彩等が含まれる。このような構成によれば、パスワード認証に比べ、ユーザは入力作業が煩わしくなく、パスワードを覚える必要もない。また、他人がユーザになりすますことが非常に困難であるため、強固なセキュリティを実現することができる。
【０１３９】
本発明の目的は、前述した実施形態の機能を実現するソフトウエアのプログラムコードをシステムあるいは装置で実行することによっても達成されることは言うまでもない。この場合、プログラムコード自体が前述した実施形態の機能を実現することとなり、そのプログラムコードは本発明の技術的範囲に含まれる。
【０１４０】
プログラムコードは、例えば、コンピュータ読み取り可能な記録媒体に記録してシステムあるいは装置に供給することができる。そのシステムあるいは装置のコンピュータ（またはＣＰＵまたはＭＰＵ）は、記録媒体に格納されたプログラムコードを読み出し実行することによっても、本発明の目的を達成することができる。従って、そのプログラムコードを記憶した記録媒体も本発明の技術的範囲に含まれる。
【０１４１】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【０１４２】
なお、プログラムコードは、コンピュータが当該プログラムコードを読み出し実行することにより前述した実施形態の機能を実現するための、全ての要素を備えたものに限られない。即ち、プログラムコードには、コンピュータに組み込まれたソフトウェア及びハードウェアの少なくともいずれかと協働することにより目的を達成するプログラムコードも含まれる。
【０１４３】
例えば、プログラムコードの指示に基づき、コンピュータ上で稼動しているＯＳなどが実際の処理の一部または全部を行い、その処理によって前述した実施形態の機能が実現される場合も、そのプログラムコードは本発明の技術的範囲に含まれる。ただし、ＯＳはオペレーティングシステム（Operating System）の略称である。
【０１４４】
あるいは、例えば、プログラムコードの指示に基づき、コンピュータに挿入又は接続された機能拡張ボードや機能拡張ユニットに備わるＣＰＵなどが実際の処理の一部または全部を行い、その処理によって前述した実施形態の機能が実現される場合がある。このような場合も、そのプログラムコードは本発明の技術的範囲に含まれる。なお、機能拡張ボードや機能拡張ユニットは、それらが備えるメモリにプログラムコードを読み込み、実行することでこのような処理を行うことができる。
【図面の簡単な説明】
【０１４５】
【図１】画像読取装置のハードウエア構成を示すブロック図である。
【図２】画像読取装置内の情報処理主制御部が実行する処理の流れを示すフローチャートである。
【図３】画像読取装置内の情報処理主制御部が実行する処理の流れを示すフローチャートである。
【図４】画像読取装置の動作を説明する状態遷移図である。
【図１】
2010041619.tif 000003
【図２】
2010041619.tif 000004
【図３】
2010041619.tif 000005
【図４】
2010041619.tif 000006